(57)【要約】【課題】  複数の住宅ユニットを組み立てて構築するユニット住宅において、床面の高さをずらせた間取りを効率良く得ることを可能にするユニット住宅の組立構造を提供する。【解決手段】  予め形成された複数の住宅ユニットを建築施工現場で組み立てて構築するユニット住宅１０の組立構造において、六面体形状の下面部分と上面部分の双方又は何れか一方に床パネル１４が配置される標準ユニット１１ａ，１１ｂ，１１ｃ，１１ｄを重ねた第１構造体部分１６と、六面体形状の中間高さに床パネル１５が配置される中間部床パネルユニット１２ａ，１２ｂを重ねた第２構造体部分１７とを備えており、第１構造体部分１６の各床面１８と、第２構造体部分１７の各床面１９とが、異なる高さにずれて配置されている。【選択図】      図１
2005232701.tif 000002
【特許請求の範囲】
【請求項１】
予め形成された複数の住宅ユニットを建築施工現場で組み立てて構築するユニット住宅の組立構造において、
六面体形状の下面部分と上面部分の双方又は何れか一方に床パネルが配置される標準ユニットを重ねた第１構造体部分と、六面体形状の中間高さに床パネルが配置される中間部床パネルユニットを重ねた第２構造体部分とを備えており、第１構造体部分の各床面と、第２構造体部分の各床面とが、異なる高さにずれて配置されるユニット住宅の組立構造。
【請求項２】
前記ユニット住宅は、基礎断熱による住宅であり、前記第２構造体部分における最下層の中間部床パネルユニットの床パネルよりも下方には、基礎によって囲まれる床下空間と連続する空間が形成される請求項１に記載のユニット住宅の組立構造。
【請求項３】
ユニット住宅を形成する際に用いる中間部床パネルユニットであって、
トラック等の搬送手段によって搬送可能な大きさの六面体形状の少なくとも２方向の側面部に設けられた側壁パネルと、該側面パネルに支持されて、六面体形状の中間高さに設けられる床パネルとからなる中間部床パネルユニット。
【発明の詳細な説明】
【技術分野】
【０００１】
本発明は、予め形成された複数の住宅ユニットを建築施工現場で組み立てて構築するユニット住宅の組立構造、及び中間部床パネルユニットに関する。
【背景技術】
【０００２】
住宅建築物の施工の迅速化や高精度化を図るべく、予め工場等で形成された複数の住宅ユニットを建築施工現場で組み立てて構築するユニット住宅が開発されている。このようなユニット住宅においては、例えば六面体形状に割り付けられて形成された各住宅ユニットを例えば搬送用のトラック等に積み込んで建築施工現場に搬入し、例えばクレーン等の吊り上げ用の重機を用いて吊り上げて所定の位置に設置し、他の住宅ユニットと共に接合一体化することによってユニット住宅を組み立てる。
【０００３】
一方、近年の住宅需要の高まりから、従来までの一般的な間取りとは異なる、様々なニーズに応じた種々の間取りを備えた住宅が開発されている。このような住宅として、例えば床下部分や天井裏部分に、居室スペースとしての空間高さに満たない高さの収納スペースを設けた住宅や、上下方向に収納スペースと居室スペースとが設けられた第１構造体部分と、同様に上下方向に収納スペースと居室スペースとが設けられた第２構造体部分とを、半階ずらせた状態で隣接配置したスキップフロア型建物が開示されている（例えば、特許文献１参照）。また、特許文献１によれば、このようなスキップフロア型建物は、ユニット工法、パネル工法、在来工法等によって建設することが可能であり、ユニット工法で形成する場合には、住宅ユニットとして、六面体形状の上面部分を構成する天井梁の下方に補助天井梁を設けてこの補助天井梁と天井梁とで囲まれた空間を収納スペースとしたユニットを用いる旨が記載されている。
【特許文献１】特開平１１−７１９１７号公報
【発明の開示】
【発明が解決しようとする課題】
【０００４】
しかしながら、特許文献１に記載のスキップフロア型建物によれば、これをユニット工法によって形成する場合、トラック等によって搬送可能な大きさの六面体形状の住宅ユニットとして、上面部分に天井梁を有し、下面部分に床梁を有するユニットを用いることから、床面の高さをずらせた間取りを効率良く得ることができない場合がある。すなわち、搬送可能な大きさに割り付けられた六面体形状の上下の面が、天井面や床面となっているため、収納スペースを介在させようとする場合、一つの住宅ユニットの内部において、居室スペースと収納スペースとを上下に重ねて併存させる必要を生じて、ユニットの構成が複雑になる。また、住宅ユニットを上下に積み重ねた第１構造体部分と第２構造体部分とを半階ずらせるためには、例えば一方の基礎を半階分高くする必要があり、例えば２階建ての住宅を構築する場合には、全体として２．５階分の軒高となるため、斜線制限の厳しい場所においては設計しずらくなると共に、費用も嵩むことになる。さらに、基礎断熱による住宅では、最下階の床下部分も部屋空間として利用することが可能であるが、住宅ユニットの床梁を外して床下部分の空間と連続する空間を形成することが困難である。
【０００５】
本発明は、このような従来の課題に着目してなされたもので、複数の住宅ユニットを組み立てて構築するユニット住宅において、床面の高さをずらせた間取りを効率良く得ることを可能にするユニット住宅の組立構造及び中間部床パネルユニットを提供することを目的とする。
【課題を解決するための手段】
【０００６】
本発明は、予め形成された複数の住宅ユニットを建築施工現場で組み立てて構築するユニット住宅の組立構造において、六面体形状の下面部分と上面部分の双方又は何れか一方に床パネルが配置される標準ユニットを重ねた第１構造体部分と、六面体形状の中間高さに床パネルが配置される中間部床パネルユニットを重ねた第２構造体部分とを備えており、第１構造体部分の各床面と、第２構造体部分の各床面とが、異なる高さにずれて配置されるユニット住宅の組立構造を提供することにより、上記目的を達成したものである。
【０００７】
そして、本発明のユニット住宅の組立構造は、前記ユニット住宅が基礎断熱による住宅であり、前記第２構造体部分における最下層の中間部床パネルユニットの床パネルよりも下方には、基礎によって囲まれる床下空間と連続する空間が形成されることが好ましい。
【０００８】
また、本発明は、ユニット住宅を形成する際に用いる中間部床パネルユニットであって、トラック等の搬送手段によって搬送可能な大きさの六面体形状の少なくとも２方向の側面部に設けられた側壁パネルと、該側面パネルに支持されて、六面体形状の中間高さに設けられる床パネルとからなる中間部床パネルユニットを提供することにより、上記目的を達成したものである。
【０００９】
ここで、床パネルは、各ユニットにおいて水平方向に取り付けられ、上階のスペースに対しては床部分を構成し、下階のスペースに対しては天井部分を構成するパネル部材である。
【発明の効果】
【００１０】
本発明のユニット住宅の組立構造及び中間部床パネルユニットによれば、複数の住宅ユニットを組み立てて構築するユニット住宅において、床面の高さをずらせた間取りを効率良く得ることができる。
【発明を実施するための最良の形態】
【００１１】
図１は、本発明の好ましい第１実施形態に係るユニット住宅の組立構造を示すものであり、本第１実施形態によれば、ユニット住宅１０は、予め工場等において形成された複数の住宅ユニット１１ａ，１１ｂ，１１ｃ，１１ｄ，１２ａ，１２ｂ，１３ａ，１３ｂ，１３ｃを、建築施工現場に搬送して組み立てることにより、２階建て住宅の軒高で構築されるものである。すなわち、ユニット住宅１０は、特定の垂直面で切断した断面において、水平な３本の一点鎖線Ａ−Ａ，Ｂ−Ｂ，Ｃ−Ｃと、垂直な２本の一点鎖線Ｄ−Ｄ，Ｅ−Ｅとによって区画された９箇所のユニット領域に納まる大きさの住宅ユニット１１ａ，１１ｂ，１１ｃ，１１ｄ，１２ａ，１２ｂ，１３ａ，１３ｂ，１３ｃを、３列３段に積み重ねるようして接合一体化することにより構成されている。
【００１２】
ここで、住宅ユニット１１ａ，１１ｂ，１１ｃ，１１ｄは、六面体形状の上面部分又は下面部分に床パネル１４が配置される標準ユニットとなっており、住宅ユニット１２ａ，１２ｂは、六面体形状の中間高さに中間床パネル１５が配置される中間部床パネルユニットとなっている。またこれらの上方に配置される住宅ユニット１３ａ，１３ｂ，１３ｃは、上面部分に屋根が設けられる屋根ユニットとなっている。
【００１３】
そして、本第１実施形態のユニット住宅の組立構造は、六面体形状の下面部分と上面部分の双方又は何れか一方に床パネル１４が配置される標準ユニット１１ａ，１１ｂ，１１ｃ，１１ｄを重ねた第１構造体部分１６と、六面体形状の中間高さに中間床パネル１５が配置される中間部床パネルユニット１２ａ，１２ｂを重ねた第２構造体部分１７とを備えており、第１構造体部分１６の床面１８と、第２構造体部分の床面１９とが、異なる高さにずれて配置されている。
【００１４】
また、本第１実施形態によれば、ユニット住宅１０は、基礎断熱による住宅であり、第２構造体部分１７における最下層の中間部床パネルユニット１２ｂの中間床パネル１５よりも下方には、基礎２０によって囲まれる床下空間２１と連続する下方拡大空間２２が形成されている。
【００１５】
本実施形態によれば、第１構造体部分１６を構成する標準ユニット１１ａ，１１ｂ，１１ｃ，１１ｄは、六面体形状の下面部分や上面部分に床パネル１４が配置されると共に、居室スペースとして充分な高さである例えば２１００〜２７００ｍｍ程度の内空高さを有している。そして、基礎２０の上に下層の標準ユニット１１ｂ，１１ｄを載置すると共に、これらの開口面を連続させて、これらが一体となった１階部分の居室スペース２３を形成する。また、この１階部分の居室スペース２３の上に上層の標準ユニット１１ａ，１１ｃを載置すると共に、これらの開口面を連続させて、これらが一体となった２階部分の居室スペース２４を形成する。さらに、この２階部分の居室スペース２４の上には、屋根ユニット１３ａ，１３ｂが載置されて、第１構造体部分１６が構築されることになる。なお、中央の屋根ユニット１３ｂの内部には、屋根裏スペース２５が設けられており、この屋根裏スペース２５には、後述するｃ第２構造体部分１７の最上階部分に形成された隠れ空間２６から、出入りすることができるようになっている。
【００１６】
また、第２構造体部分１６を構成する中間部床パネルユニット１２ａ，１２ｂは、六面体形状の中間高さに床パネル１５が配置された住宅ユニットである。すなわち、中間部床パネルユニット１２ａ，１２ｂは、例えば図２に示すように、トラック等の搬送手段によって搬送可能な大きさに割り付けられた六面体形状の４方向の側面部に取り付けられた側壁パネル２７と、これらの側面パネル２７に周縁部を支持させて、六面体形状の中間高さに取り付けられた中間床パネル１５とからなり、また４方向の側壁パネル２７には、出入り口用の開口部や、窓用の開口部等が適宜開口形成されている。
【００１７】
なお、六面体形状の中間高さに設けられる床パネル１５の高さ方向の位置は、第１構造体部分１６の床面１８との段差や第２構造体部分１７の各階の内空高さ等を鑑みて適宜設定することができる。また、中間部床パネルユニット１２ａ，１２ｂの側壁パネル２７を、六面体形状の４方向全ての側面部に取り付けて用いる必要は必ずしもなく、側壁パネル２７は、ユニット住宅１０の間取り等に応じて、中間床パネル１５を安定して支持することが可能な少なくとも２方向に取り付けられていれば良い。さらに、中間部床パネルユニット１２ａ，１２ｂは、標準ユニット１１ａ，１１ｂ，１１ｃ，１１ｄや屋根ユニット１３ａ，１３ｂ，１３ｃと同様に、工場等において精度良く容易に形成することができる。
【００１８】
そして、本第１実施形態によれば、基礎２０の上に最下層の中間部床パネルユニット１２ｂを載置することにより、これの中間床パネル１５よりも下方部分には、基礎２０によって囲まれる床下空間２１と連続する下方拡大空間２２が形成され、この下方拡大空間２２を、例えば収納くらとして利用することが可能になる。また最下層の中間部床パネルユニット１２ｂの上に上層の中間部床パネルユニット１２ａを載置することにより、下層の中間部床パネルユニット１２ｂの中間床パネル１５よりも上方部分と、上層の中間部床パネルユニット１２ａの中間床パネル１５よりも下方部分とが一体となった、中２階居室空間２８が形成され、この中２階居室空間２８を、例えばミセスルームとして利用することが可能になる。さらに、上層の中間部床パネルユニット１２ａの上に屋根ユニット１３ｃを載置することにより、第２構造体部分１７が構築されることになると共に、上層の中間部床パネルユニット１２ａの中間床パネル１５よりも上方部分と、屋根ユニット１３ｃの屋根裏空間とが一体となった隠れ空間２６が形成されることになる。
【００１９】
したがって、本第１実施形態によれば、、中間高さに中間床パネル１５を配置しただけの簡易な構成の中間部床パネルユニット１２ａ，１２ｂを用いることにより、標準ユニット１１ａ，１１ｂ，１１ｃ，１１ｄによる第１構造体部分１６の各床面１８の高さと、中間部床パネルユニット１２ａ，１２ｂによる第２構造体部分１７の各床面１９の高さとをずらせて形成することが可能になり、これによってユニット住宅１０において、床面１８，１９の高さをずらせた間取りを効率良く得ることが可能になる。
【００２０】
また、本実施形態によれば、基礎断熱による床下空間２１を有効に利用しつつ、軒高を２階建て住宅の軒高に抑制したまま、２階建て住宅の各フロアの床面１８と異なる高さの床面１９を備える三層の空間２２，２８，２６を、第２構造体部分１７に効率良く設けることを可能にして、斜線制限の厳しい場所における設計の自由度を増すことが可能になる。
【００２１】
図３は、本発明の好ましい第２実施形態に係るユニット住宅の組立構造を示すものであり、本第２実施形態によれば、ユニット住宅３０は、標準ユニット３１ａ，３１ｂによる第１構造体部分３２に隣接して、これの床面３３とは異なる高さの床面３４を有する、中間部床パネルユニット３５ａ，３５ｂによる第２構造体部分３６を設けたものである。
【００２２】
図４は、本発明の好ましい第３実施形態に係るユニット住宅の組立構造を示すものであり、本第３実施形態によれば、ユニット住宅４０は、標準ユニット４１ａ，４１ｂによる第１構造体部分４２との間に階段室４３を挟んで、第１構造体部分４２の床面４４とは異なる高さの床面４５を有する、中間部床パネルユニット４６ａ，４６ｂによる第２構造体部分４７を設けたものである。
【００２３】
そして、第２実施形態や第３実施形態によっても、中間高さに中間床パネル３７，４８を配置した簡易な構成の中間部床パネルユニット３５ａ，３５ｂ、４６ａ，４６ｂを用いることにより、上記第１実施形態と同様の作用効果を奏することになる。
【００２４】
なお、本発明は、上記各実施形態に限定されることなく種々の変更が可能である。例えば、ユニット住宅は、基礎断熱による住宅である必要は必ずしもなく、床断熱のユニット住宅等に適用することも可能である。また、ユニット住宅は、２階建ての軒高を有する住宅である必要は必ずしもなく、２．５階又は３階建て以上の軒高のユニット住宅に適用することも可能である。
【００２５】
さらに、本発明の中間部床パネルユニットは、平屋建てのユニット住宅に組み込んで用いることもでき、また例えば図５に示すように、中間部床パネルユニット５１を住宅の一部として適宜組み込んでユニット住宅５０を形成することもできる。
【図面の簡単な説明】
【００２６】
【図１】本発明の第１実施形態に係るユニット住宅の組立構造を説明する略示断面図である。
【図２】中間部床パネルユニットの構成を説明する斜視図である。
【図３】本発明の第２実施形態に係るユニット住宅の組立構造を説明する部分破断断面図である。
【図４】本発明の第３実施形態に係るユニット住宅の組立構造を説明する部分破断断面図である。
【図５】本発明の中間部床パネルユニットを用いた他のユニット住宅を例示する略示断面図である。
【符号の説明】
【００２７】
１０，３０，４０，５０  ユニット住宅
１１ａ，１１ｂ，１１ｃ，１１ｄ，３１ａ，３１ｂ，４１ａ，４１ｂ  標準ユニット（住宅ユニット）
１２ａ，１２ｂ，３５ａ，３５ｂ，４６ａ，４６ｂ，５１  中間部床パネルユニット（住宅ユニット）
１３ａ，１３ｂ，１３ｃ  屋根ユニット（住宅ユニット）
１４  床パネル
１５，３７，４８  中間床パネル
１６，３２，４２  第１構造体部分
１７，３６，４７  第２構造体部分
１８，３３，４４  第１構造体部分の床面
１９，３４，４５  第２構造体部分の床面
２０  基礎
２１  床下空間
２２  下方拡大空間
２３  １階部分の居室スペース
２４  ２階部分の居室スペース
２５  屋根裏スペース
２６  隠れ空間
２７  側壁パネル
２８  中２階居室空間
【図１】
2005232701.tif 000003
【図２】
2005232701.tif 000004
【図３】
2005232701.tif 000005
【図４】
2005232701.tif 000006
【図５】
2005232701.tif 000007